(57)【要約】　　　（修正有）【課題】有害情報や、犯罪から子供達を守るとともに、不必要な訪問販売を排除する。【解決手段】ユーザー評価とポイント付与の出来るサーバーによってユーザーからのフィルタリングデータ２９を集める。フィルタリングデータ２９を用いることによってインターネット上の不要な情報をフィルタリングする。また、インターホンや電話に情報取得部や電話番号取得部、情報送信部などを設け、生体情報や電話番号をフィルタリングデータ２９に登録することが出来る様にし、情報を共有することによって訪問販売業者やセールス電話を排除する。【選択図】図２
2004102662.tif 000002
【特許請求の範囲】
【請求項１】
ネットワークに接続されたサーバーであって、データ登録ユーザー認証手段と、データ登録ユーザーから送信されたフィルタリングデータを検証するフィルタリングデータ検証手段と、検証されたフィルタリングデータを含むフィルタリングデータベースとを備え、且つ、前記フィルタリングデータ検証手段は、
１）互いに異なるユーザーから送信された同一フィルタリングデータの数
２）同一フィルタリングデータを送信した互いに異なるデータ登録ユーザーの近接度
３）データ登録ユーザーの評価
４）フィルタリング除外データ
上記１）から３）の少なくとも一つのパラメータを用いてフィルタリングデータの検証が行われるものであり、また、データ登録ユーザーから送信されたフィルタリングデータについて
１）フィルタリングデータの新規性
２）フィルタリングデータの妥当性
３）フィルタリングデータの参照数
４）フィルタリングデータのサイズ
上記４つの基準の少なくとも１つを用いてフィルタリングデータ登録ユーザーにポイントを加減するポイント算定手段を有し、
さらに、
１）サービス受益ユーザーから送信されたデータについて、前記フィルタリングデータベースを検索し、検索結果を送信する
２）サービス受益ユーザーに対し、前記フィルタリングデータベース、またはその一部を送信する
３）フィルタリングサーバーに対し、フィルタリングデータベースを送信する
４）フィルタリングサーバーから送信されたデータを用いてフィルタリングデータベースを検索し、検索結果をフィルタリングサーバーに送信する
５）あらかじめ設定された設定情報に基づき、サービス受益ユーザーに送信するフィルタリングデータベース、あるいはフィルタリングデータベースの検索範囲を制限する。
上記１）から５）の１または複数を行う手段を備えることを特徴とするフィルタリングデータサーバー。
【請求項２】
フィルタリングデータ登録ユーザーから送信されたフィルタリングデータについて、データを特定するための特徴を抽出する特徴抽出手段を備え、抽出された特徴をフィルタリングデータとして登録することが出来ることを特徴とした請求項１に記載のフィルタリングデータサーバー。
【請求項３】
前記フィルタリングデータベースが、
１）生体情報と該生体情報の所有者についての情報
２）電話番号と該電話番号発信者についての情報
３）ＵＲＬ
４）画像
５）画像の特徴
６）音声
７）音声の特徴
８）映像
９）映像の特徴
１０）文章
１１）文章の特徴
上記１１のデータの、１または複数であることを特徴とする請求項１及び２に記載のフィルタリングデータサーバー。
【請求項４】
フィルタリングデータベースを用いて、
１）サービス受益ユーザーのコミュニケーション装置、またはプログラムから、フィルタリングデータベースに登録されたアドレスへの接続を行わない
２）フィルタリングデータベースに登録されたアドレスからの、サービス受益ユーザーのコミュニケーション装置への接続を行わない
３）フィルタリングデータベースに登録されたアドレスから、サービス受益ユーザーのコミュニケーション装置へのデータ送信を行わない
４）フィルタリングデータベースに登録されたフィルタリングデータを、サービス受益ユーザーに送信しない
５）サービス受益ユーザーのコミュニケーション装置、またはプログラムから、フィルタリングデータベースに登録されたフィルタリングデータの存在するアドレスへの接続を制限する
６）電子メールを中継する際に、電子メールにフィルタリングデータベースに登録されていないＵＲＬが記載されているならば、フィルタリングサーバーが、該ＵＲＬにアクセスし、該ＵＲＬにフィルタリングデータベースに登録されたデータが存在するか否かを調べ、存在するときには、該電子メールを中継しないか、該ＵＲＬを消去して中継するか、または注意を添えて中継するかのいずれかを行う
上記１）から６）の特徴のうち、１または複数を特徴として有するフィルタリングサーバー。
【請求項５】
１）前記アドレスは電話番号であって、前記コミュニケーション装置が電話であること
２）前記アドレスがＵＲＬまたはＩＰアドレスであって、前記コミュニケーションプログラムがブラウザであること
３）前記アドレスが電子メールアドレスであって、前記コミュニケーションプログラムが電子メールプログラムであること
４）前記アドレスが電子メールアドレスであって、前記コミュニケーション装置が携帯電話であること
上記４つの１または複数を特徴として備える請求項４に記載のフィルタリングサーバー。
【請求項６】
来訪者の、１または複数の生体情報を取得する生体情報取得手段と、ネットワーク接続手段と、情報表示部とを備え、且つ、
１）取得された生体情報を前記ネットワーク接続手段を用いてサーバーに送信し、サーバーにおいて該生体情報の所有者の情報を検索するための生体情報検索手段
２）前記ネットワーク接続手段を用いて受信された、生体情報と生体情報の所有者についての情報の記載されたデータベースを用いて前記取得された生体情報を検索できる生体情報検索手段
３）前記取得された来訪者の生体情報を複数のインターホン装置で共有することにより、前記生体情報を検索できる生体情報検索手段
上記３つの検索手段うち、少なくとも１つの生体情報検索手段を備え、また、検索結果を前記情報表示部に表示することが出来ることを特徴とするインターホン装置。
【請求項７】
ネットワーク接続手段と、情報表示部と、情報入力部と、生体情報取得部とを備え、ユーザーが、取得された生体情報に来訪者についての情報を前記情報入力部を用いて付加でき、ネットワークを通じて送信できる情報送信手段を備えたことを特徴とする請求項６に記載のインターホン装置。
【請求項８】
ネットワーク接続手段と、情報表示部と、情報入力部と、０以上の生体情報取得部を備え、相互に接続された他のインターホン装置の情報入力部からユーザーによって入力された情報と０以上の生体情報とを、前記情報表示部に表示できることを特徴としたインターホン装置
【請求項９】
１）来訪者の生体情報が取得が成功しない場合には呼び出し音を鳴らさない
２）来訪者の生体情報についての検索結果に応じて、呼び出し方法を変える
３）来訪者の生体情報についての検索結果に応じて異なる応答メッセージを発生する
上記３つうち少なくとも一つを行うことが出来ることを特徴とする請求項６から８に記載のインターホン装置。
【請求項１０】
請求項１から３に記載のフィルタリングデータサーバーと、請求項６から８に記載のそれぞれのインターホン装置の可能な組み合わせからなるセキュリティシステム。
【請求項１１】
電話機であって、発信者の電話番号を取得する電話番号取得部と、通常の通話以外の情報を送受信する情報送受信部を備え、
１）取得された電話番号
２）通信中の音声
３）通信中のＦＡＸ
４）通信中の映像
５）通信中の画像
上記１）から５）の、１または複数について、下記の１）、２）の２つの手段うち少なくとも１つの検索手段を用いて検索し、検索結果を表示する表示部とを備えたことを特徴とする電話機。
１）前記情報送受信部を用いて、サーバーで検索する検索手段
２）前記情報送受信部を用いてダウンロードしたフィルタリングデータベースを検索する検索手段
【請求項１２】
１）取得された電話番号
２）ユーザーが発信した電話番号
１）、２）のいずれか、または複数について、
下記１）から４）の１または複数を付加し、前記情報送受信手段を用いて送信できることを特徴とする請求項１１に記載の電話機。
１）ユーザーが入力した発信者についての情報
２）取得された音声またはその特徴
３）取得された映像またはその特徴
４）取得された画像またはその特徴
【請求項１３】
着信時に、電話機が、
１）前記検索手段を用いて検索を行い、検索結果に応じて、着信音を鳴らさない
２）前記検索手段を用いて検索を行い、検索結果に応じて、着信に際し自動応答メッセージを返信する
３）一定回数の呼び出しがなければ、発信者番号を表示しない
４）一定時間呼び出し音をならさない
上記１）から４）の対応の少なくとも１つを行えることを特徴とする請求項１１及び１２に記載の電話機。
【請求項１４】
通話時に、電話機が、前記検索手段を用いて検索を行い、検索結果に応じて、
１）接続を切る
２）自動応答メッセージに切り替える
３）検索結果を前記表示部に出力する
上記１）から３）の対応の少なくとも１つを行えることを特徴とする請求項１１から１３に記載の電話機。
【請求項１５】
請求項１から３に記載のフィルタリングデータサーバーと、請求項１１から１４に記載の電話機の、可能な組み合わせからなるセキュリティシステム。
【請求項１６】
請求項４及び請求項５に記載のフィルタリングサーバーと、請求項１１から１４に記載の電話機の、可能な組み合わせからなるセキュリティシステム。
【請求項１７】
受信の際に、電子メールプログラムが、
１）受信メールについて、あらかじめダウンロードされたフィルタリングデータベースを検索するステップ
２）受信メールについての情報をサーバーにおいて検索するステップ
３）受信メールに記載されたＵＲＬがフィルタリングデータベースに記載されていないときには、電子メールプログラムが該ＵＲＬに接続し、該ページに存在する情報やファイルについて、あらかじめダウンロードされたフィルタリングデータベースを検索するステップ
４）受信メールに記載されたＵＲＬがフィルタリングデータベースに記載されていないときには、電子メールプログラムが該ＵＲＬに接続し、該ページに存在する情報やファイルについて、サーバーで検索するステップ
上記１）から４）の少なくとも１のステップを備え、且つ、検索結果に応じて、下記１）から５）の少なくとも１つを行うことを特徴とする電子メールプログラム。
１）電子メールを電子メールサーバーからダウンロードしない
２）電子メールを電子メールサーバーから削除する
３）電子メールを表示不可能にする
４）電子メールを受信後削除する
５）電子メール表示の際に検索結果に基づく注意を表示する
【請求項１８】
受信した電子メールについて、
１）送信者
２）発信元アドレス
３）文章
４）文章の特徴
５）受信ファイル
６）受信ファイルの特徴
７）受信文章に含まれるＵＲＬ
上記１）から７）の１以上のデータをフィルタリングデータとしてサーバーに登録する手段として機能させることができることを特徴とする電子メールプログラム。
【請求項１９】
請求項１から３に記載のフィルタリングデータサーバーと、請求項１７及び請求項１８に記載の電子メールプログラムとの、可能な組み合わせからなるセキュリティシステム。
【請求項２０】
請求項４及び請求項５に記載のフィルタリングサーバーと、電子メールプログラムとの、可能な組み合わせからなるセキュリティシステム。
【請求項２１】
１）ユーザーの端末装置に存在するファイル
２）ユーザーの端末装置に存在するファイルの特徴
３）ユーザーの閲覧中のｗｅｂページに存在するファイル
４）ユーザーの閲覧中のｗｅｂページに存在するファイルの特徴
５）ユーザーの閲覧中のｗｅｂページのＵＲＬ
６）ユーザーの端末装置のブックマーク中のＵＲＬ
上記１）から６）の少なくとも１つをフィルタリングデータとしてサーバーに送信する手段として用いることが出来ることを特徴とするフィルタリングデータ登録プログラム。
【請求項２２】
請求項１から３に記載のフィルタリングデータサーバーと、請求項２１に記載のフィルタリングデータ登録プログラムとの、可能な組み合わせからなるフィルタリングデータベースシステム。
【請求項２３】
請求項１から３に記載のフィルタリングデータサーバーとしてコンピューターを用いることが出来るようにするためのフィルタリングデータサーバープログラム、及び請求項４及び請求項５に記載のフィルタリングサーバーとしてコンピューターを用いることが出来るようにするためのフィルタリングプログラム。
【請求項２４】
請求項１から３に記載のフィルタリングデータサーバと、ｗｅｂブラウザプログラムとの可能な組み合わせからなるセキュリティシステム。
【請求項２５】
請求項４及び５に記載のフィルタリングサーバーと、ｗｅｂブラウザプログラムとの可能な組み合わせからなるセキュリティシステム。
【請求項２６】
請求項１７および請求項１８に記載の電子メールプログラムを備えた携帯電話機。
【請求項２７】
コンピューターを請求項１１から１４に記載の電話機として機能させることの出来るプログラム。
【請求項２８】
前記請求項１から３に記載のフィルタリングデータベースサーバーと、請求項４及び請求項５に記載のフィルタリングサーバーとの、可能な組み合わせからなるデータフィルタリングシステム。
【請求項２９】
請求項１０に記載のセキュリティシステムにおいて、
１）前記インターホン装置に供給されるフィルタリングデータベース
２）前記インターホン装置がフィルタリングデータサーバーにおいて検索できるフィルタリングデータベース
上記１）、２）のいずれか、または双方のデータベースの検索範囲が、インターホン装置の設置された地理的な距離をパラメーターとして制約を受けることを特徴とする請求項１０に記載のセキュリティシステム。
【請求項３０】
サービス受益ユーザーが、供給されるフィルタリングデータベースの種類や範囲をあらかじめ指定することが出来ることを特徴とする請求項１から３に記載のフィルタリングデータサーバー、及び請求項３から４に記載のフィルタリングサーバー。
【発明の詳細な説明】
【０００１】
【発明の属する技術分野】
本発明は、有害情報や不要な情報、危険な人物との接触から個人を守るためのセキュリティ技術に関する。
【０００２】
【従来の技術】
ｗｅｂ上の有害情報を規制するための試みは、これまでいくつか試みられている。もっとも活発なのは子供を有害な情報から守るために、子供が有害情報を見ることがないようにｗｅｂページのアクセスを規制しようと言うものである。この手法にはいくつかあり、
１）ページ、ＵＲＬに存在する文章あるいは自主規制のためのキーワードがデータベースのキーワードに一致する場合は該当ページに接続しない
２）認定サイトとしてデータベースに登録されたページへのアクセスしか許可しない
３）ボランティア、あるいは社員によって作成されたデータベースに存在するページへのアクセスを規制する
４）画像分析技術をもちいて、有害画像であると判断された場合には該当ページへのアクセスを規制する
等である。２）の方法が現在のところもっとも効果的であるが、無害な情報を含め、接続できるページは極端に少ない。それ以外の方法は全て漏れがあり、有害情報へのアクセスは８０パーセント程度しか防げていない。３）については、本発明の手法に近いが、ボランティア、社員など、フィルタリングデータ登録者の絶対数が少ないため、登録には限界がある。また、ＵＲＬやキーワードを規制するものであるため、登録されていないＵＲＬにある有害情報や、ｆｔｐサイト、ファイル共有については防ぐことが出来ない。画像そのもの、映像そのものに対し、アクセスを規制できるのは４）だが、現在のところ、分析技術が不完全であるため、成功してはいない。また、新たなサイト、ページは毎日増えており、更に問題なことに、たいていのサイト管理者は、バナーをクリックしてくれるか、料金を支払ってくれるならば、相手が子供であるかどうかについては関心がないのである。
【０００３】
指紋や網膜など生体情報を用いたセキュリティシステムについては数多く開発されているが、何れも多数の人間が出入りする場に設置され、許可された人間以外を排除しようとするセキュリティシステムであり、不特定多数の訪問者を対象とし、情報の共有によって訪問販売や強盗を排除する家庭用のものは考えられていなかった。
【０００４】
電子メールにおけるスパムメールは社会問題化しており、発信者や、発信元のサーバーをデータベースに登録し、これらを削除しようという試みは現実化している。また、ウイルスソフトなどは、電子メールに添付されたファイルについて、サーバーからダウンロードしたデータベースを用いてスキャンを行う。しかし、これらはスパムの排除や、ウイルスの検索が目的であって、有害情報が子供に送られるのを防ぐためのものではない。たとえば、メール送信アドレスを偽装し、それぞれのメールにユニークなアドレスを付与したスパムメールについては本文を検索しないため、スパムフィルターで排除することは出来ないし、例えば有害情報をコンテンツとして持つＵＲＬが記述されたり、ポルノ画像を添付した電子メールなどが、ある個人によって個人に送られることを防ぐことは出来ない。また、本発明では、スパムメールに記載されたＵＲＬ等に接続することを防ぐことが出来るが、そのようなシステムは存在しない。現在のところ、インターネットや電子メールは子供や知識のないものが安心して利用できるようなものではない。
【０００５】
現在ワン切りとして知られているものは、自動的に発信者番号の出力される携帯電話機に、ワンコールだけ電話をかけ、ユーザーがかけ直すとアダルト番組の案内が流れる、というものである。これは発信者番号通知とユーザーの善意を悪用するものであり、電話の受信者が子供であった場合の配慮などは全くなされず、全ての電話機に対して行われている。これについては法規制・課金の動きがあるが、今後、それ以上に有害かつ迷惑な商法の台頭が予想される。つまり、ＩＰ電話が普及し、全ての通話が定額、もしくは無料化した場合には、もはや通話料金を払わずに済むため、ワン切りする必要はなくなり、コンピューターによる自動発信で直接録音したメッセージを垂れ流すようにしたり、また更には、ＦＡＸに対する自動広告送信なども行うことができるようになるのである。また、電話料金で一定のリスクを背負っていたこれまでの電話セールス業者も通話料金を気にすることなく大量の電話セールスを行うようになることが危惧される。これは、そのようなものを望まない大多数にとって非常に憂うべき事態となる。
【発明が解決しようとする課題】
【０００６】
本発明はこのような現況、将来予測を鑑みてなされたものであって、不要情報、有害情報の送信者、情報加害者などの情報を多数で共有することで、子供やお年寄りなどを含むユーザーを、このような情報への暴露、危険から守るために考案されたものである。
【０００７】
ポイントを還元することで、日常的に画像収集を行っているユーザー等、多数のデータ登録ユーザーを獲得し、有害情報データをコミュニケーション媒体を問わずに共通化することで、ｗｅｂや電子メールによって有害情報が子供に送信されるのを防ぐ。また、フィルタリングデータベースサーバーは、電話や、インターホンといった個人のコミュニケーション窓口に接続することもでき、訪問販売や、電話勧誘などの被害を防ぐこともできる。
【課題を解決するための手段】
【０００８】
請求項１に記載のサーバーは、ネットワークに接続され、データ登録ユーザーを特定するためのデータ登録ユーザー認証手段と、データ登録ユーザーから送信されたフィルタリングデータを検証するフィルタリングデータ検証手段と、検証されたデータが登録されたデータを含むフィルタリングデータベースとを備え、且つ、前記フィルタリングデータ検証手段は、
１）同一フィルタリングデータを送信した互いに異なるデータ登録ユーザーの数
２）同一フィルタリングデータを送信した互いに異なるデータ登録ユーザーの近接度
３）データ登録ユーザーの評価
４）フィルタリング除外データ
上記１）から４）の少なくとも１つを用いてフィルタリングデータの検証が行われるものであり、また、データ登録ユーザーから送信されたフィルタリングデータについて
１）フィルタリングデータの新規性
２）フィルタリングデータの妥当性
３）フィルタリングデータの参照数
４）フィルタリングデータのサイズ
上記４つの基準の少なくとも１つを用いてフィルタリングデータ登録ユーザーにポイントを加減するポイント算定手段を有し、
さらに、
１）サービス受益ユーザーから送信されたデータについて、前記フィルタリングデータベースを検索し、検索結果を送信する
２）サービス受益ユーザーに対し、前記フィルタリングデータベース、またはその一部を送信する
３）フィルタリングサーバーに対し、フィルタリングデータベースを送信
４）フィルタリングサーバーから送信されたデータを用いてフィルタリングデータベースを検索し、検索結果をフィルタリングサーバーに送信する
上記１）、４）の１または複数を行う手段を備えることを特徴としている。（請求項１）
【０００９】
また、フィルタリングデータ登録ユーザーから送信されたフィルタリングデータについて、データを特定するための特徴を抽出する特徴抽出手段を備え、抽出された特徴をフィルタリングデータとして登録することが出来ることを特徴としたフィルタリングデータサーバーでもある。（請求項２）
【００１０】
また、前記フィルタリングデータサーバーにおいて、前記フィルタリングデータは、
１）生体情報と該生体情報の所有者についての情報
２）電話番号と該電話番号発信者についての情報
３）ＵＲＬ
４）画像
５）画像の特徴
６）音声
７）音声の特徴
８）映像
９）映像の特徴
１０）文章
１１）文章の特徴
上記１１のデータの、１または複数であることを特徴ともし得る。（請求項３）
【００１１】
請求項４に記載のフィルタリングサーバーは、フィルタリングデータベースを用いて、
１）サービス受益ユーザーのコミュニケーション装置、またはプログラムから、フィルタリングデータベースに登録されたアドレスへの接続を行わない
２）フィルタリングデータベースに登録されたアドレスからの、サービス受益ユーザーのコミュニケーション装置への接続を行わない。
３）フィルタリングデータベースに登録されたアドレスから、サービス受益ユーザーのコミュニケーション装置へのデータ送信を行わない。
４）フィルタリングデータベースに登録されたフィルタリングデータを、サービス受益ユーザーに送信しない
５）サービス受益ユーザーのコミュニケーション装置、またはプログラムから、フィルタリングデータベースに登録されたフィルタリングデータの存在するアドレスへの接続を制限する
６）電子メールを中継する際に、電子メールにフィルタリングデータベースに登録されていないＵＲＬが記載されているならば、フィルタリングサーバーが、該ＵＲＬにアクセスし、該ＵＲＬにフィルタリングデータベースに登録されたデータが存在するか否かを調べ、存在するときには、該電子メールを中継しないか、該ＵＲＬを消去して中継するか、または注意を添えて中継するかのいずれかを行う
上記６つの１または複数行えることを特徴とする。（請求項４）
【００１２】
また、フィルタリングサーバーにおける、フィルタリングデータは、
１）前記アドレスは電話番号であって、前記コミュニケーション装置が電話であること
２）前記アドレスがＵＲＬまたはＩＰアドレスであって、前記コミュニケーションプログラムがブラウザであること
３）前記アドレスが電子メールアドレスであって、前記コミュニケーションプログラムが電子メールソフトであること
４）前記アドレスが電子メールアドレスであって、前記コミュニケーション装置が携帯電話であること
上記４つの１または複数を特徴としてもよい。（請求項５）
【００１３】
インターホン装置は、来訪者の１または複数の生体情報を取得する生体情報取得手段と、ネットワーク接続手段と、情報表示部とを備えており、更に、
１）取得された生体情報を前記ネットワーク接続手段を用いてサーバーに送信し、サーバーにおいて該生体情報の所有者の情報を検索するための生体情報検索手段
２）前記ネットワーク接続手段を用いて来訪者を特定するための生体情報と生体情報の所有者についての情報の記載されたデータベース受信し、該データベースを用いて前記取得された生体情報を検索できる生体情報検索手段
３）前記取得された来訪者の生体情報を複数のインターホン装置で共有することにより、前記生体情報を検索できる生体情報検索手段
上記３つの検索手段うち、少なくとも１つの生体情報検索手段を備え、また、前記表示部に上記３つの検索手段のいずれか、または複数を用いて行った検索結果を表示することを特徴としている。（請求項６）
【００１４】
また、前記インターホン装置は、インターホン装置を用いて応対したユーザーが、取得された生体情報に、来訪者を応対することで知った情報を付加し、ネットワークを通じて送信できる情報送信手段をも備えうる。（請求項７）
【００１５】
また、前記インターホン装置は、更に、
１）来訪者の生体情報取得成功を契機として訪問をユーザーに告げ、生体情報が取得されなかれば、ユーザーに対しての呼び出し音の発生を行わない
２）来訪者の生体情報についての検索結果に応じて、通知方法を変える
３）来訪者の生体情報についての検索結果に応じて、あらかじめ用意された応答メッセージの中から選択し、来訪者に返す。
上記３つの特徴の少なくとも一つを行えるものでもある。（請求項８）
【００１６】
また、インターホン装置は、ネットワーク接続手段と、情報表示部と、情報入力部と、０以上の生体情報取得手段とを備え、相互に接続された他のインターホン装置の情報入力部からユーザーによって入力された情報と、０以上の生体情報とを、前記情報表示部に表示できるものであってよい。（請求項９）
【００１７】
また、請求項１から３に記載のフィルタリングデータサーバーと、請求項６から９に記載のインターホン装置の可能な組み合わせてなるセキュリティシステムを構成することも出来る。（請求項１０）
【００１８】
請求項１１に記載の電話機は、発信者の電話番号を取得する電話番号取得部と、通常の通話以外の情報を送受信できる情報送受信部を備え、
１）取得された電話番号
２）通信中の音声
３）通信中のＦＡＸ
４）通信中の映像
５）通信中の画像
上記１）、５）の１または複数について、
１）前記情報送受信部を用いて、サーバーで検索する検索手段
２）前記情報送受信部を用いてダウンロードしたフィルタリングデータベースを検索する検索手段
上記の１）、２）２つの手段うち少なくとも１つの検索手段を備え、前記検索手段を用いて取得された情報を表示する表示部とを備えたことを特徴とする電話機である。（請求項１１）
【００１９】
また、電話機はまた、取得された電話番号、または、ユーザーが発信した電話番号の何れかまたは双方について、
１）発信者についての情報
２）録音された音声またはその特徴
３）取得された映像またはその特徴
４）取得された画像またはその特徴
上記１）から４）の１または複数をユーザーが付加し、、前記ネットワーク接続手段を用いて送信することもできる。（請求項１２）
【００２０】
電話機はまた、着信に際し、
１）前記検索手段を用いて検索を行い、検索結果に応じて、着信に際し呼び出し音を鳴らさない
２）前記検索手段を用いて検索を行い、検索結果に応じて、着信に際し自動応答メッセージを返信する
３）一定回数の呼び出しがなければ、発信者番号を表示しない
４）一定時間呼び出し音をならさない
上記１）から４）の対応の、少なくとも１つを行うことも出来る。（請求項１３）
【００２１】
また前記電話機は、通話時に、前記検索手段を用いて検索を行い、検索結果に応じて、
１）接続を切る
２）自動応答メッセージに切り替える
３）検索結果を前記表示部に出力する
上記１）から３）の対応の少なくとも１つを行うこともできる。（請求項１４）
【００２２】
請求項１から３に記載のフィルタリングデータサーバーと、請求項１１から１４に記載の電話機の、可能な組み合わせにおいてセキュリティシステムを構築することも出来る。（請求項１５）
【００２３】
また、請求項４及び請求項５に記載のフィルタリングサーバーと、請求項１１から１４に記載の電話機の、可能な組み合わせからなるセキュリティシステムを構成することで、電話交換機の段階でフィルタリングを行うようにすることも出来る。（請求項１６）
【００２４】
請求項１７の電子メールプログラムは、受信の際に、電子メールプログラムが、１）受信メールについて、あらかじめダウンロードされたフィルタリングデータベースを検索するステップ
２）受信メールについての情報をサーバーにおいて検索するステップ
３）受信メールに記載されたＵＲＬがフィルタリングデータベースに記載されていないときには、電子メールプログラムが該ＵＲＬに接続し、該ページに存在する情報やファイルについて、あらかじめダウンロードされたフィルタリングデータベースを検索するステップ
４）受信メールに記載されたＵＲＬがフィルタリングデータベースに記載されていないときには、電子メールプログラムが該ＵＲＬに接続し、該ページに存在する情報やファイルについて、サーバーで検索するステップ
上記１）から４）の少なくとも１のステップを備え、検索結果に応じて、
１）電子メールを電子メールサーバーからダウンロードしない
２）電子メールを電子メールサーバーから削除する
３）電子メールを受信後表示不可能にする
４）電子メールを受信後削除する
５）電子メール表示の際に検索結果に基づく注意を表示する
上記１）から５）の少なくとも１つを行うことができることを特徴としている。（請求項１７）
【００２５】
また、電子メールプログラムは、受信した電子メールについて、
１）送信者
２）発信元アドレス
３）文章
４）文章の特徴
５）受信ファイル
６）受信ファイルの特徴
７）受信文章に含まれるＵＲＬ
上記１）から７）の１以上のデータをフィルタリングデータとしてサーバーに登録する手段として機能させることもできる。（請求項１８）
【００２６】
請求項１から３に記載のフィルタリングデータサーバーと、請求項１７及び請求項１８に記載の電子メールプログラムとの、可能な組み合わせから、セキュリティシステムを構成することも出来る。（請求項１９）
【００２７】
さらに、請求項４及び請求項５に記載のフィルタリングサーバーと、電子メールプログラムを組み合わせることによって、サーバーの段階で電子メールをフィルタリングするセキュリティシステムを構成することも出来る。（請求項２０）
【００２８】
請求項２１に記載のフィルタリングデータ登録プログラムは、
１）ユーザーの端末装置に存在するファイル
２）ユーザーの端末装置に存在するファイルの特徴
３）ユーザーの閲覧中のｗｅｂページに存在するファイル
４）ユーザーの閲覧中のｗｅｂページに存在するファイルの特徴
５）ユーザーの閲覧中のｗｅｂページのＵＲＬ
６）ユーザーの端末装置のブックマーク中のＵＲＬ
上記１）から６）の少なくとも１つをフィルタリングデータとしてサーバーに送信する手段として用いることが出来ることを特徴としている。（請求項２１）
【００２９】
請求項１から３に記載のフィルタリングデータサーバーと、請求項２１に記載のフィルタリングデータ登録プログラムとの、可能な組み合わせによって、フィルタリングデータベースを充実させるフィルタリングデータベースシステムを構成することも出来る。（請求項２２）
【００３０】
請求項１から３に記載のフィルタリングデータサーバーや、請求項４及び請求項５に記載のフィルタリングサーバーは、コンピューターのプログラムによって実現されるものであり、本発明は、それぞれのサーバーを実現するプログラムをも含む。（請求項２３）
【００３１】
請求項１から３に記載のフィルタリングデータサーバーと、ｗｅｂブラウザプログラムとの可能な組み合わせからなるセキュリティシステムでもある。（請求項２４）
【００３２】
請求項４及び５に記載のフィルタリングサーバーと、ｗｅｂブラウザプログラムとの可能な組み合わせからなるセキュリティシステムでもある。（請求項２５）また、請求項１７および請求項１８に記載の電子メールプログラムを備えた携帯電話機でもある。（請求項２５）
【００３３】
また、本発明は、請求項１７および１８に記載の電子メールプログラムを搭載した電話機や、端末装置をも含む。（請求項２６）
【００３４】
また、コンピューターを請求項１１から１４に記載の電話機として機能させることの出来るプログラムであっても良い。（請求項２７）
【００３５】
さらに、前記フィルタリングデータサーバーとフィルタリングサーバーとの組み合わせからなるデータフィルタリングシステムも構成することができる。（請求項２７）
【００３６】
また、請求項１０に記載のセキュリティシステムにおいて、
１）前記インターホン装置に供給されるフィルタリングデータベース
２）前記インターホン装置がフィルタリングデータサーバーにおいて検索できるフィルタリングデータベース
上記１）、２）のいずれか、または双方における検索可能範囲を、インターホン装置の設置された地理的な距離をパラメーターとして制限することができるようなセキュリティシステムでもあり得る（請求項２９）
【００３７】
また、前記フィルタリングデータサーバー及び、フィルタリングサーバーにおいて、サービス受益ユーザーは、自らが供給をうけるフィルタリングデータベースの種類や範囲をあらかじめ設定しておくことが出来る。（請求項３０）
【００３８】
【実施例】
本発明における請求項１のサーバーは、組み合わせる装置やプログラムによって応用範囲は多岐に渡る。また、はじめに、本明細書におけるフィルタリングデータとは、データを特定するためのものであり、
１）データそのもの
２）データを特定するための特徴であるデータ
の双方を指し、本明細書においては特に断らない限り双方を指すものとする。
【００３９】
図２はフィルタリングデータサーバーとして汎用コンピューターを機能させるためのフィルタリングデータサーバープログラムの概念図を示す。本発明における請求項１から５に記載のそれぞれのサーバーは、汎用コンピューターにインストールされた、それぞれのプログラムによって実現されるのが最も適当であると思われるため、以下それぞれのサーバーの動作はプログラムの動作として説明を行うことにする。フィルタリングデーターサーバープログラムは、フィルタリングデータを蓄えるフィルタリングデータベース２６、登録ユーザーが登録されたユーザーデータベース２７とを備えている。フィルタリングデータサーバープログラムによって、ユーザー認証が行われ、登録ユーザーからフィルタリングデータ２９を受信すると、正式なフィルタリングデータとして登録する前に、まず、フィルタリングデータサーバープログラムによって、次の少なくとも１つをパラメータに用いて検証される。（図２の２８）
１）互いに異なるユーザーから送信された同一フィルタリングデータの数
２）同一フィルタリングデータを送信した互いに異なるデータ登録ユーザーの近接度
３）データ登録ユーザーの評価
４）フィルタリング除外データ
これらは、不適当なフィルタリングデータが誤って登録されるのを防ぐためのものであると同時に、接続される装置またはプログラムによっては、参照されるフィルタリングデータを制限するものでもある。以下上記それぞれについて実施例を示す。１）は、同一のフィルタリングデータが、互いに異なるユーザーから、あらかじめ設定された数以上送信されてからはじめてフィルタリングデータベースに登録することを意味する。２）において近接とは地理的なものだけを意味するのではなく、例えば電話番号の下四桁が１１１１と１１１２とは距離が近いと見なし、１１１１を持つユーザーと１１１２を持つ、互いに異なるデータ登録ユーザーから、同一の発信者番号がセールス電話であるという情報とともに送信された場合には、このデータの信頼性は高いと見なし、フィルタリングデータとして登録することを意味する。これは電子メールにおいてａａａａａ＠ｘｘｘ．ｊｐとａａａａｂ＠ｘｘｘ．ｊｐについても同様に考えることが出来るし、更に、フィルタリングデータサーバーに接続されているものがインターホン装置ならば、地理的な距離を考慮すればよい。３）については、例えば不適当なフィルタリングデータの送信が多いデータ登録ユーザーのデータについて、フィルタリングデータベースに登録しないことなどを意味する。４）について、例えば信用された企業のサーバーＵＲＬや、メールアドレス、郵便局員の生体情報などをフィルタリング除外データとして登録しておくことで、データ登録ユーザーの誤りや、いたずらをある程度防止することが出来る。また、３）についても、フィルタリング除外データを登録しようとしたデータ登録ユーザーを記録し（図２の３１）、送信するフィルタリングデータを無視するようにすることなども考えられる。３０は検証の済んだフィルタリングデータがフィルタリングデータベースに登録されることを示している。
【００４０】
また、フィルタリングデータサーバープログラムは、フィルタリングデータ登録ユーザーから送信されたフィルタリングデータについて、
１）フィルタリングデータの新規性
２）フィルタリングデータの妥当性
３）フィルタリングデータの参照数
４）フィルタリングデータのサイズ
などを用いてフィルタリングデータ登録ユーザーにポイントを加減する（図２の３２）。１）については、既にフィルタリングデータベースに登録されたデータであれば、ポイントを少ししか与えず、逆に新たなデータであれば大きなポイントを加算するなどが考えられる。２）については、送信されたフィルタリングデータが、例えばフィルタリング除外データに登録されたものであればポイントを減算するなどが考えられる。３）については、フィルタリングデータ登録ユーザーの登録したデータを、サービス受益ユーザーが検索した検索回数やファイルサイズなどに応じてポイントを与える等が考えられる。４）については、フィルタリングデータ登録ユーザーの送信したデータ量によって加算ポイントを決定することなどが考えられる。上記図２の３１や３２で示すユーザーの評価やポイントの加減の詳細については、どのような装置、プログラムと組み合わせるかによって適当なものが異なり、実施形態によって決定すべきである。
【００４１】
更にフィルタリングデータベースプログラムは、
１）サービス受益ユーザーから送信されたデータについて、前記フィルタリングデータベースを検索し、検索結果を送信する
２）サービス受益ユーザーに対し、前記フィルタリングデータベース、またはその一部を送信する
３）フィルタリングサーバーに対し、フィルタリングデータベースを送信
４）フィルタリングサーバーから送信されたデータを用いてフィルタリングデータベースを検索し、検索結果をフィルタリングサーバーに送信する
５）あらかじめ設定された設定情報に基づき、サービス受益ユーザーに送信するフィルタリングデータベース、あるいはフィルタリングデータベースの検索範囲を制限する。
上記５つの１または複数を行うことが出来る。フィルタリングデータベースと組み合わされる装置、またはプログラムによって、それぞれ異なったフィルタリングデータベースが考えられる。それぞれについては、以下の接続装置またはプログラムの具体例において説明を行う。
【００４２】
例えばＵＲＬや電子メールアドレス、電話番号などのフィルタリングデータについては必要がないが、画像や音声、映像などを特定する場合に、生のデータそのものを用いるのはデータ量が大きくなりすぎたり、効率的でなかったりする。また、画像や映像などについては、人間にとっては同じ画像であってもファイルサイズやタイムスタンプ、ファイル名が異なり、そのままでは特定できないこともある。その場合にも同一のデータとして見なすことが出来るように、フィルタリングデータベースプログラムは、データから特徴を抽出する手段として機能させることの出来るルーチンをも備えることができる。例えば圧縮率や、色調などの異なる、同一の起源を持つ画像を、プログラムによって同定するための手法は数多くあり、現在もいろいろな手法が開発されている。また、別々の角度、カメラから撮影された同一人物の映像や、画像から人物を特定するための手法についても同様であり、当業者ならば、既に開発されたいくつもの手法を挙げることが出来るが、手法の詳細については本発明の要件ではないので詳述を省く。
【００４３】
また、前記フィルタリングデータベースは、目的によって
１）生体情報と該生体情報の所有者についての情報
２）電話番号と該電話番号発信者についての情報
３）ＵＲＬ
４）画像
５）画像の特徴
６）音声
７）音声の特徴
８）映像
９）映像の特徴
１０）文章
１１）文章の特徴
上記１１のデータの、１または複数を含んでいる。
【００４４】
図１においてフィルタリングサーバーは２と８である。２は電子メールやｗｅｂアクセスを制限するものとして、８は電話や通話内容を制限するものとしての表現である。フィルタリングサーバーは、フィルタリングデータベースを用いて、１）サービス受益ユーザーのコミュニケーション装置、またはプログラムから、フィルタリングデータベースに登録されたアドレスへの接続を行わない
２）フィルタリングデータベースに登録されたアドレスからの、サービス受益ユーザーのコミュニケーション装置への接続を行わない。
３）フィルタリングデータベースに登録されたアドレスから、サービス受益ユーザーのコミュニケーション装置へのデータ送信を行わない。
４）フィルタリングデータベースに登録されたフィルタリングデータを、サービス受益ユーザーに送信しない
５）サービス受益ユーザーのコミュニケーション装置、またはプログラムから、フィルタリングデータベースに登録されたフィルタリングデータの存在するアドレスへの接続を制限する
６）電子メールを中継する際に、電子メールにフィルタリングデータベースに登録されていないＵＲＬが記載されているならば、フィルタリングサーバーが、該ＵＲＬにアクセスし、該ＵＲＬにフィルタリングデータベースに登録されたデータが存在するか否かを調べ、存在するときには、該電子メールを中継しないか、該ＵＲＬを消去して中継するか、または注意を添えて中継するかのいずれかを行う
上記６つの１または複数を特徴として有することができ、その用途によって、様々な装置、あるいはプログラムと接続することが出来る。前記アドレスが電話番号であって、前記コミュニケーション装置を固定電話（図１の５）や携帯電話（図１の７）である場合、フィルタリングサーバーは電話交換機の一部として機能させるのがよい。（図１の８）この場合、フィルタリングデータベースに登録された電話番号からのサービス受益ユーザーへの接続が制限される。また、サービス受益ユーザーが望むときには、フィルタリングデータベースに登録された電話番号への発信をも制限することが出来る。また、前記アドレスがＵＲＬまたはＩＰアドレスであって、前記コミュニケーションプログラムがブラウザであっても良い。この場合、フィルタリングサーバー２はプロキシサーバーとしての働きに加え、データそのものの流れを監視し、有害なデータがサービス受益ユーザーの端末に表示されるのを防ぐこともできる。また、前記アドレスが電子メールアドレスであって、前記コミュニケーションプログラムがコンピューターまたは携帯電話に搭載された電子メールプログラム（図１の１０、１２）である場合には、電子メールのフィルターとして用いることが出来る。現在既に存在するウイルスフィルター、スパムメールフィルターと異なり、個人が具体的な相手を対象に送った電子メールについても、本文中に有害情報が含まれていれば、これをフィルタリング出来る。更に、電子メール中にはフィルタリングデータベースの中に含まれないＵＲＬが存在するときでも、該ＵＲＬに接続してみることで、該ＵＲＬが、フィルタリングデータベースに登録された内容を持つときには、該電子メールの中継を拒否したり、本文から該ＵＲＬを消去したり、注意を添えて中継するようにしたリス津ことが出来る。該電子メールの中継を行わないときには、発信元に自動応答メールを送るのも良い。
【００４５】
生体情報を取得できるインターホンについて、取得された生体情報を共有することによって、訪問販売員などを排除することが出来る。本発明のインターホン装置は、生体情報を限定しないが、図示と説明を容易にするため、以下のの例では基本的に生体情報が指紋である場合について説明しておく。生体情報が他の要素であっても、取得手段が若干変わる他は、本発明の要点には代わりはない。図３にはインターホン装置を示した。図には親機３８と子機３５が有線４３によって接続されているように表現したが、もちろん無線でも良い。更に、本発明において特徴的な生体情報取得手段３６、ネットワーク接続手段４５を備えている。訪問者が生体情報取得手段を兼ねた呼び出しボタン３６に指をおくと、生体情報検索手段（図示しない）を利用し、取得された生体情報を４５を用いてサーバー（図１の１）に送信し、サーバーにおいて該生体情報についての情報を検索することができる。サーバーから返信された検索結果は情報表示部（図３の４０）に表示される。また、他の実施例として、インターホン装置が、サーバーからネットワーク接続手段４５を用いてフィルタリングデータベースをダウンロードすることができるように構成されている場合には、生体情報検索手段は、取得された生体情報についてインターホン装置にダウンロードされたデータベースを検索する。この場合にも、検索結果を情報表示部に表示する。データベースのダウンロードをどのような頻度で行うかなどについては、本発明では限定をしないが、例えば、設置されたインターホン装置に地理的に近接したインターホン装置から新たにデータが追加された場合などにデータベースを更新することなどが考えられる。
【００４６】
上にも述べたが、生体情報は指紋である必要はなく、マイクロホン（図示しない）から入力された声紋など声の特徴や、その特徴、網膜スキャナ（図示しない）でスキャンされた網膜パターンまたはその特徴、カメラ（図示しない）で撮影された顔写真またはその特徴など、また、これらの組み合わせなど、様々なものを用いることが出来る。
【００４７】
また、インターホン装置に情報送信手段（図示しない）を備えることで、ユーザーが入力部４１を用いて、取得された生体情報と、応対時に得られた情報を関連づけて送信することも出来る。これらの情報が蓄積されることで、同一ネットワークに属する、情報を共有するサービス受益ユーザーは以後同一の生体情報を備える人間に煩わされることはなくなる。
【００４８】
また、更に、インターホン装置は、指紋の採取などを避ける人物からの呼び出しを避けるために、指紋が採取されなければ、呼び出し音を鳴らさないなどの機能を備えることも出来る。また、検索結果に応じて、呼び出し音を変えるなどの複数の通知方法を、ユーザーが設定できるようにすることも出来る。また、例えば検索結果が、訪問販売員である時には、「訪問販売は必要としていません」などのメッセージを表示したり、発音したりするように設定できるように構成することもできる。検索結果と自動応答が行われた際の例を図４に示した。
【００４９】
異なる場合の実施例として、例えば集合住宅などで、住宅内だけで生体情報を共有する場合も考えることが出来る。この場合には接続されるインターホン装置の数は比較的少数であるので、中央のサーバーを利用しなくても、ピア・ツー・ピア方式などでインターホン装置で生体情報を共有することができる。更に配信する地域を限れば、検索、特定できる生体情報だけでなく、単に訪問者顔写真などを、地域のインターホンに配信することで所期の目的を達することが出来るし、更に、単純な実施例として、生体情報を取得しなくとも、一台のインターホン装置から送信された訪問販売員対する警告が、同一集合住宅のインターホン装置の表示部に表示されるように構成することも出来、この場合は生体情報取得手段を備えないが、これについても本発明の実施例である。
【００５０】
また、前記フィルタリングデータサーバーと、上記インターホン装置を組み合わせて用いることで、不適当なフィルタリングデータの登録を減らすことが出来、更に、ユーザーのフィルタリングデータ作成に対しての貢献にポイントを与えることが出来るようになる。また、サーバー装置はインターホン装置の地理的な配置によって供給するデータベース、また、ユーザーのインターホン装置から検索可能な範囲を制限することなどができるように設定しておくことも出来る。
【００５１】
図５に示したのは電話機においての情報の流れを示した例である。本発明の電話機は、発信者の電話番号を取得することができ、また、通常の通話以外の情報を送受信する情報送受信部をも備える。情報送受信部の情報送受信に用いる回線は、電話回線であってもネットワークであっても良いが、ここではインターネットなどのネットワークを利用して本発明が実施されることを想定してある。着信時に発信元の電話番号が、電話番号取得部（図示せず）によって取得されると、取得された電話番号５１について、情報検索部５３によって検索を行う。検索先は二通りの実施方法がある。まず、サーバーにおいて検索を行うときには情報送受信部５４がネットワーク５８を用いて、サーバー５５に接続し、サーバーに前記５１についての情報を検索する。検索結果が得られると、情報検索部は情報表示部５６に検索結果を表示する。また、サーバー５５から、情報送受信部５４を用いてダウンロードされたフィルタリングデータベース５７において検索を行う場合には、情報検索部はフィルタリングデータベース５７を取得電話番号５１で検索を行う。得られた検索結果は同様に表示部５６に表示される。上記、取得電話番号についての検索の実施例を示したが、これが電話番号以外の通話内容５２についても同様である。通話内容は、通話中の音声であったり、通信中のＦＡＸデータ、通信中の画像や、映像などであって良い。また、更に、前記取得された電話番号について、着信時に電話機は、
１）前記検索手段を用いて検索を行い、検索結果に応じて、着信音を鳴らさない２）前記検索手段を用いて検索を行い、検索結果に応じて、着信に際し自動応答メッセージを返信する
３）一定回数の呼び出しがなければ、発信者番号を表示しない
４）一定時間呼び出し音をならさない
上記１）から４）の対応の少なくとも１つを、電話機が自動的に行うようにユーザーによって設定することができる。もちろんこれらをそれぞれ単独で選択しても良いし、複数を組み合わせても良い。また、更に、ユーザー、または自動応答などで通話を行っている際に、通話中のデータについて、情報検索部５３によって、フィルタリングデータベース５７またはサーバー５５において通話中のデータを検索することで、検索結果に応じて、
１）接続を切る
２）自動応答メッセージに切り替える
３）検索結果を上記表示部に出力する
の動作のいずれか、または複数が電話機によって行われるようにあらかじめユーザーによって設定しておくこともできる。
【００５２】
更に、電話機はまた、
１）取得された電話番号
２）ユーザーが発信した電話番号
１）、２）のいずれか、または複数について、
１）ユーザーが入力した発信者についての情報
２）取得された音声またはその特徴
３）取得された映像またはその特徴
４）取得された画像またはその特徴
上記１）から４）の１または複数を付加し、前記情報送受信手段を用いて送信することが出来る。上記送信された情報を複数の電話機で共有することで、ユーザーは不要な情報受信を防ぐことが出来るようになる。
【００５３】
また、図１において電話機５がネットワーク１８を介して、フィルタリングデータサーバーとフィルタリングデータの送受信を行うことによるセキュリティシステムや、フィルタリングサーバーの機能を備えた電話局８を介して固定電話機同士、あるいは携帯電話６などとデータの送受信、及び、通話を行うセキュリティシステムも実現することが出来る。
【００５４】
次に、電子メールプログラムにおいての実施例を説明する。図１の９はコンピューターを示す。ユーザーがコンピューター９にインストールされた本発明の電子メールソフトが受信した電子メールを調べる場合、フィルタリングデータサーバー１からフィルタリングデータベースをダウンロードし、ローカルで検索を行うか、フィルタリングデータサーバーに電子メールに含まれるデータやその特徴を送信し、フィルタリングデータサーバーにおいて検索することができる。更に、フィルタリングデータベースに登録されていないＵＲＬが本文に記載されている際には、電子メールソフトが該ＵＲＬに存在する情報が、フィルタリングデータベースに記載されているか否かについて調べるようにする事も出来る。以上の二種の検索方法の双方あるいは一方において得られた検索結果に応じて、
１）電子メールを電子メールサーバーからダウンロードしない
２）電子メールを電子メールサーバーから削除する
３）電子メールを表示不可能にする
４）電子メールを受信後削除する
５）電子メールの表示の際には注意が表示される
上記１）から５）の何れかまたは複数の処理が、あらかじめ行われたユーザーの設定に基づき電子メールプログラムによって自動的に行われる。図７には上記処理例のフローを示した。
【００５５】
また、受信した電子メールについて、
１）送信者
２）発信元アドレス
３）文章
４）文章の特徴
５）受信ファイル
６）受信ファイルの特徴
７）受信文章に含まれるＵＲＬ
上記１）から７）の１種類以上のデータをフィルタリングデータとしてサーバーに登録することもできる。上記のデータをフィルタリングデータサーバーに送信することで、フィルタリングデータベースの充実を図ることができる。フィルタリングデータを登録する際の手法は、様々に考えることが出来るが、本発明の要件ではないので詳述は省く。
【００５６】
更に、フィルタリングデータの充実を図るために、
１）ユーザーの端末装置に存在するファイル
２）ユーザーの端末装置に存在するファイルの特徴
３）ユーザーの閲覧中のｗｅｂページに存在するファイル
４）ユーザーの閲覧中のｗｅｂページに存在するファイルの特徴
５）ユーザーの閲覧中のｗｅｂページのＵＲＬ
６）ユーザーの端末装置のブックマーク中のＵＲＬ
上記１）から６）の少なくとも１つをフィルタリングデータとしてサーバーに送信する手段として用いることが出来るフィルタリングデータ登録プログラムを考えることも出来る。フィルタリングデータ登録プログラムは、インターネットブラウザプログラム、あるいはそのプラグインなどとして配布されるのが現実的であると思われるが、ユーザーが閲覧中のページに存在する有害情報や、ポルノ画像などを直ちにフィルタリングデータとして登録することが出来、また更にはユーザーが集めた画像ファイル、映像ファイル、文章ファイルなどについても登録することが出来、有害情報の発信者や、画像コレクターなどが本プログラムを用いて、フィルタリングデータを登録することでかつてない規模のフィルタリングデータベースを構築することが出来る。図６にはブラウザ上でマウスを右クリックした場合にメニューにデータを登録することが出来るように構成した場合のメニュー例を示した。
【００５７】
また、本明細書において、フィルタリングデータサーバーとフィルタリングサーバーとを別々の装置として記載したのは、表現上の要請によるものであり、何れもコンピューターにインストールされたプログラムによって実現されるのであれば、これらは一台のコンピューターに同時にインストールされたものであって良いし、別々の装置である必要もない。また、本発明の電話機装置は容易にプログラムによってコンピューターを電話機装置として用いることも出来、その様なプログラムであっても良い。
【００５８】
また、フィルタリングデータサーバーや、フィルタリングサーバーにおいて、サービス受益ユーザーがあらかじめ自己がフィルタリングによって制限を受ける範囲を設定できるようにする事も出来る。
【００５９】
【発明の効果】
本発明によって、インターネットやメールが子供にとってもより安全なものに近づけることが出来る。また、訪問販売に煩わされたり、訪問販売を装った詐欺を減らすことが出来る。
【図面の簡単な説明】
【図１】本発明の装置やサーバーなどを接続例である。
【図２】フィルタリングデータベースプログラムの概念の例を示した図である。
【図３】インターホン装置及び、接続の例を示した図である。
【図４】インターホン装置に表示された検索結果の例を示した図である。
【図５】電話機の情報の流れの例を示した図である。
【図６】フィルタリングデータ登録プログラムのインターフェイス例である。
【図７】電話機での処理の流れの例を示した図である。
【符号の説明】
１　フィルタリングデータサーバー
２　フィルタリングサーバー
３　インターホン装置親機
４　インターホン装置子機
５　固定電話機
６　携帯電話機
７　携帯基地局
８　電話局交換機
９　汎用コンピューター
１０　汎用コンピューター
１１　携帯電話機
１２　携帯基地局
１３　インターネット
１４　インターネット
１５　フィルタリングデータサーバーとフィルタリングサーバーとの接続線
１６　フィルタリングデータサーバーと電話局交換機との接続線
１７　インターネットを介したフィルタリングデータサーバーとインターホンとの接続
１８　インターネットを介したフィルタリングデータサーバーと固定電話との接続
１９　インターネットを介したフィルタリングデータサーバーと汎用コンピューターとの接続
２０　電話線
２１　電話会社専用線
２２　インターネットを介したフィルタリングデータサーバーと携帯基地局との接続
２３　フィルタリングサーバーと携帯基地局との接続
２４　フィルタリングサーバーとインターネットとの接続
２５　フィルタリングサーバーと汎用コンピューターとの接続
２６　フィルタリングデータベース
２７　登録ユーザーデータベース
２８　フィルタリングデータ検証ステップ
２９　インターネットを介してフィルタリングデータを受信することを示す
３０　検証されたフィルタリングデータがフィルタリングデータベースに登録されることを示す
３１　フィルタリングデータ検証ステップによってフィルタリング登録ユーザーが評価されることを示す
３２　フィルタリングデータベースの特定データの参照数などから登録ユーザーが評価されることを示す
３３　フィルタリングデータベースがインターネットを介して送信されることを示す。
３４　インターネットを介してフィルタリングデータベースが参照されることを示す
３５　インターホン装置子機
３６　呼び鈴を兼ねた指紋取得ボタン
３７　スピーカーとマイク部
３８　インターホン装置親機
３９　応答ボタン
４０　情報表示部
４１　情報入力部
４２　受話器
４３　親機と子機の接続線
４４　スピーカー
４５　子機情報表示部
５０　電話回線
５１　取得電話番号
５２　通話内容
５３　情報検索部
５４　情報送受信部
５５　サーバー
５６　表示部
５７　フィルタリングデータベース
５８　情報検索部からサーバーに取得した情報の問い合わせが送られることを示す
５９　情報検索部がフィルタリングデータベースを検索することを示す
６０　サーバーからフィルタリングデータベースが受信されることを示す
【図１】
2004102662.tif 000003
【図２】
2004102662.tif 000004
【図３】
2004102662.tif 000005
【図４】
2004102662.tif 000006
【図５】
2004102662.tif 000007
【図６】
2004102662.tif 000008
【図７】
2004102662.tif 000009